【事件の表示】
　特許第３２２３５５０号「インクジェット記録用水性インク組成物」の請求項１ないし３に係る特許に対する特許異議の申立てについて、次のとおり決定する。
【結　論】
　訂正を認める。
　特許第３２２３５５０号の請求項１ないし３に係る特許を維持する。
【理　由】
１．手続の経緯
　本件特許第３２２３５５０号の請求項１ないし３に係る発明についての出願は、平成４年１月７日に特許出願され、平成１３年８月２４日にその特許権の設定登録がされ、その後、特許異議申立人コニカ株式会社より特許異議の申立てがされ、取消しの理由が通知され、その指定期間内である平成１４年１１月５日に訂正請求がされたものである。
２．訂正の適否についての判断
Ｉ．訂正の内容　
（ア）訂正事項ａ
　特許請求の範囲の請求項１に係る記載において、「ハロゲン化水素からなる塩を含有することを特徴とするインクジェット記録用水性インク組成物。」とあるのを「ハロゲン化水素からなる塩を含有するインクジェット記録用水性インク組成物が、荷電制御方式と、スパークジェット方式のいずれかの方式のインクジェットプリンターに用いられるものであることを特徴とするインクジェット記録用水性インク組成物。」と訂正する。
（イ）訂正事項ｂ
　請求項４を削除する。
ＩＩ．訂正の目的の適否、新規事項の追加の有無及び特許請求の範囲の拡張・変更の存否
　上記訂正事項ａは、特許請求の範囲の請求項１に記載されたインクジェット記録用水性インク組成物が、（インクジェット記録方式として）荷電制御方式と、スパークジェット方式のいずれかの方式のインクジェットプリンターに用いられるものであることに限定するものであり、しかも、該限定事項は願書に添付された特許請求の範囲の請求項４に記載されているから、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、いずれも、新規事項の追加に該当せず、実質上特許請求の範囲を拡張し、又は変更するものではない。
ＩＩＩ．むすび 
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３．特許異議の申立てについて
Ｉ．特許異議申立て理由の概要
　特許異議申立人は、申立理由として次の２点を主張し、証拠方法として以下に示す甲第１〜８号証を提出している。
（申立理由）
（１）本件の訂正前の請求項１〜３に係る発明は、その出願の日前の特許出願であって、その出願後に出願公開がされた特許出願である甲第１号証の願書に最初に添付された明細書又は図面に記載された発明と同一であり、しかも、本件の発明者がその出願前の特許出願に係る上記の発明をした者と同一ではなく、また本件の出願の時において、その出願人が上記特許出願の出願人と同一でもないので、特許法第２９条の２の規定に該当し、特許を受けることができない。（以下、「申立理由１」という。）
（２）本件の訂正前の請求項１〜３に係る発明は、その出願前日本国内において頒布された刊行物である甲第２〜８号証に記載された発明に基いて、その出願前にその発明の属する技術の分野における通常の知識を有する者が容易に発明をすることができたものであるから、特許法第２９条第２項の規定により特許を受けることができない。（以下、「申立理由２」という。）
（証拠方法）
　甲第１号証：特願平３−６３８２号
　　　　　　　（特開平４−２１１４６５号公報参照）
　甲第２号証：特開平３−２３１９７４号公報
  甲第３号証：特開平３−２４７６７６号公報
  甲第４号証：特開昭５５−６６９７６号公報
  甲第５号証：特開昭５５−６５２７１号公報
  甲第６号証：特開昭５５−１６０３９号公報
  甲第７号証：特開昭５５−１６０４０号公報
  甲第８号証：特開昭５５−１６０４１号公報
ＩＩ．当審における取消しの理由の概要
　本件の訂正前の請求項１〜３に係る発明は、その出願前外国において頒布された刊行物１（欧州特許出願公開第４４６６１７号明細書：甲第１号証のパテントファミリィー）に記載された発明であるから、特許法第２９条第１項３号の規定に該当し、特許を受けることができない。（以下、「取消理由」という。）
ＩＩＩ．本件発明
　上記２．で示したように上記訂正が認められるから、本件特許第３２２３５５０号の請求項１ないし３に係る発明（以下、「本件発明１ないし３」という。）は、訂正明細書の特許請求の範囲の請求項１ないし３に記載された次のとおりのものである。
「【請求項１】水と水溶性染料を含有するインクジェット記録用水性インク組成物において、アルカノールアミンまたはそのエチレンオキシド付加物及びまたはプロピレンオキシド付加物と、ハロゲン化水素からなる塩を含有するインクジェット記録用水性インク組成物が、荷電制御方式と、スパークジェット方式のいずれかの方式のインクジェットプリンターに用いられるものであることを特徴とするインクジェット記録用水性インク組成物。
【請求項２】アルカノールアミンがジエタノールアミン、ハロゲン化水素が塩酸である塩酸ジエタノールアミンを含有する請求項１に記載のインクジェット記録用水性インク組成物。
【請求項３】アルカノールアミンまたはそのエチレンオキシド付加物及びまたはプロピレンオキシド付加物と、ハロゲン化水素からなる塩を導電性付与剤として含有することを特徴とする請求項１、２のいずれかに記載のインクジェット記録用水性インク組成物。」
ＩＶ．当審の判断
［本件発明１について］
（ア）申立理由１及び取消理由について
　甲第１号証及び刊行物１には、そこに記載されたインクジェット記録用水性インク組成物が、荷電制御方式と、スパークジェット方式のいずれかの方式のインクジェットプリンターに用いられるものである点については、なんら記載されていない。したがって、本件発明１は、特許法第２９条の２及び特許法第２９条第１項３号のいずれの規定にも該当するものではない。
（イ）申立理由２について
　甲第２〜８号証には、それぞれ、インクジェット記録用のインク組成物に係る発明が記載されているが、その成分として、本件発明１の必須の構成成分である、「アルカノールアミンまたはそのエチレンオキシド付加物及びまたはプロピレンオキシド付加物と、ハロゲン化水素からなる塩」を含有する点については、該甲各証のいずれにも記載されておらず、それを示唆する記載もない。
　そして、本件発明１は、該特定の塩を含有することにより水性インクの導電性が調節された、荷電制御方式と、スパークジェット方式のいずれかの方式のインクジェットプリンターに用いるのに適したインクジェット記録用水性インク組成物であるという本件明細書記載の効果を奏するものである。
  したがって、本件発明１は、甲第２〜８号証に記載された発明に基づいて当業者が容易に発明をすることができたものではない。
［本件発明２、３について］
　本件発明２、３は、いずれも本件発明１を引用する発明であるので、上記本件発明１の判断で示したのと同じ理由により、特許法第２９条の２及び特許法第２９条第１項３号のいずれの規定にも該当するものではなく、また、甲第２〜８号証に記載された発明に基づいて当業者が容易に発明をすることができたものでもない。
Ｖ．むすび
　以上のとおりであるから、特許異議申立ての理由及び提出した証拠方法によっては、本件発明１ないし３の特許を取り消すことはできない。
　また、他に本件発明１ないし３の特許を取り消すべき理由を発見しない。
　よって、結論のとおり決定する。
【異議決定日】
平成１４年１１月１８日（２００２．１１．１８）
【訂正の要旨】
訂正の要旨
（ア）訂正事項ａ
　特許請求の範囲の請求項１に係る記載において、「ハロゲン化水素からなる塩を含有することを特徴とするインクジェット記録用水性インク組成物。」とあるのを「ハロゲン化水素からなる塩を含有するインクジェット記録用水性インク組成物が、荷電制御方式と、スパークジェット方式のいずれかの方式のインクジェットプリンターに用いられるものであることを特徴とするインクジェット記録用水性インク組成物。」と訂正する。
（イ）訂正事項ｂ
　請求項４を削除する。
（５４）【発明の名称】
インクジェット記録用水性インク組成物
（５７）【特許請求の範囲】
　【請求項１】
水と水溶性染料を含有するインクジェット記録用水性インク組成物においてアルカノールアミンまたはそのエチレンオキシド付加物及びまたはプロピレンオキシド付加物と、ハロゲン化水素からなる塩を含有するインクジェット記録用水性インク組成物が、荷電制御方式と、スパークジェット方式のいずれかの方式のインクジェットプリンターに用いられるものであることを特徴とするインクジェット記録用水性インク組成物。
　【請求項２】アルカノールアミンがジエタノールアミン、ハロゲン化水素が塩酸である塩酸ジエタノールアミンを含有する請求項１に記載のインクジェット記録用水性インク組成物。
　【請求項３】アルカノールアミンまたはそのエチレンオキシド付加物及びまたはプロピレンオキシド付加物と、ハロゲン化水素からなる塩を導電性付与剤として含有することを特徴とする請求項１、２のいずれかに記載のインクジェット記録用水性インク組成物。
【発明の詳細な説明】
　【０００１】
　【産業上の利用分野】
　本発明は、インクジェット記録用水性インク組成物に関し、さらに詳しく言えば、染料の溶解安定性を損う事なく導電性を付与し、更には乾燥防止効果に優れたインクジェット記録用水性インク組成物に関する。
　【０００２】
　【従来の技術】
　インクジェット記録用インクには、主溶剤として水を用いる水性インクと、主溶剤として有機溶剤を用いる油性インクが一般に用いられている。水性インクを用いた印刷画像は、全般に、耐水性に劣っているが、主溶剤が水であるため安全性に優れ、かつ優れた品質の印刷画像を提供することができることから、インクジェット記録の主流となっている。
　【０００３】
　一方、インクジェット記録方式の欠点は、ノズルの目詰り、経時に伴うインク物性（例、粘度、電気電導度）の変化、その他各種の要因によってインクの吐出異常を起こしやすいことであり、インクジェット記録の普及を妨げている最大の要因となっている。
　【０００４】
　インクジェット記録方式として、静電誘引力を利用してインクを吐出させる、いわゆる電界制御方式；ピエゾ素子の振動圧力を利用してインクを吐出させる、いわゆるドロップ・オン・デマンド方式（圧力パルス方式）；高熱によって気泡を形成、成長させる事によって生じる圧力を利用してインクを吐出させる、いわゆるバブルジェット方式；ノズルの後からポンプで圧力を加え、同時にピエゾ素子で高周波の振動を加えてインクを粒子化し、その後インク液滴に帯電電極で電荷を与え、さらに制御電極で帯電したインク液滴をコントロールする荷電制御方式（コンティニュアス方式）；高電圧印加状態のインク中にスパークを生じさせ、その爆発力でインクを吐出させる、いわゆるスパークジェット方式等の各種インクジェット記録方式が提案されており、これらの方式により、極めて高精細の画像を得ることができる。
　【０００５】
　これらのインクジェット記録方式の中で、電界によってインク粒子をコントロールするいわゆる荷電制御方式、インクに電流を流しその発熱・沸騰現象を利用してインクを噴射させるいわゆるスパークジェット方式等に用いられるインクは、安定な吐出を得るためにインクの導電性を適正範囲内にコントロールしなければならない。また、他のインクジェット方式についてもインクの残量検知等のため、導電性のコントロールが必要になる場合がある。
　【０００６】
　従来、水性インクの着色剤としては染料が用いられており、染料自身が電解質のため電離によりある程度の導電性を示す。しかし、荷電制御方式、スパークジェット方式等では、染料による導電性だけでは不十分であり、さらに高い導電性を付与する必要がある。また、着色剤として顔料を用いたインクでは、顔料自身による導電性がほとんど得られない。
　【０００７】
　これら導電性が必要な場合は、導電性付与剤の添加が提案されており、導電性付与剤としては、塩化リチウム、塩化アンモニウム、塩化ナトリウム等の無機塩類等（特公平２−５７８５号公報）が知られている。
　【０００８】
　【本発明が解決しようとする課題】
　しかし、これら無機塩類等の添加は染料の溶解安定性を損うことが多いため、添加量に限りがあり、所望の導電性が得られない場合がある。また、無機塩類等を含有する水性インクは、水分蒸発により染料や無機塩類が析出しノズル目詰りを起こしやすい欠点を有していた。本発明の目的は、インクの溶解安定性を損なわず、かつノズル目詰りを起こすことなく所望の導電性が得られるインクジェット記録用水性インク組成物を提供することにある。
　【０００９】
　【課題を解決するための手段】
　本発明者らは、上記の課題を解決すべく鋭意研究を重ねた結果、本発明を完成するに至った。
　【００１０】
　即ち、本発明は、水と着色剤を含有するインクジェット記録用水性インク組成物において、アルカノールアミン、またはそのエチレンオキシド及びまたはプロピレンオキシド付加物と、ハロゲン化水素からなる塩を電導度付与剤として含有することを特徴とするインクジェット記録用水性インク組成物に関するものである。
　【００１１】
　さらに、本発明は、電導度付与効果にすぐれている塩として、アルカノールアミンがジエタノールアミン、ハロゲン化水素が塩酸である塩酸ジエタノールアミンを含有するインクジェット記録用水性インク組成物に関するものである。
　【００１２】
　アルカノールアミンへのエチレンオキシド及びまたはプロピレンオキシドの付加はインクの吸湿性を増すのに有効であり、またプロピレンオキシドの付加はインクの泡立ちを抑えるのに有効である。トリエタノールアミンやジエタノールアミンはエタノールアミンへのエチレンオキシド付加物でもある。これらのエチレンオキシドやプロピレンオキシドの好ましい付加モル数は特に限定はないが、電導性付与能力や溶解性の点から、より好ましくはエチレンオキシドでは１２モル以下、プロピレンオキシドでは３モル以下が好ましい。
　【００１３】
　具体的には以下の化合物例がある。
　化合物例
化合物１
　ジエタノールアミン塩酸塩
化合物２
　ジエタノールアミンフッ化水素酸塩
化合物３
　ジエタノールアミン臭化水素酸塩
化合物４
　ジエタノールアミンヨウ化水素塩酸塩
化合物５
　トリエタノールアミン塩酸塩
化合物６
　エタノールアミン臭化水素酸塩
化合物７
　Ｎ−メチルジエタノールアミン塩酸塩
化合物８
　Ｎ−メチルジエタノールアミンのエチレンオキシド２モル付加物のフッ化水素酸塩
化合物９
　トリエタノールアミンのエチレンオキシド３モル、プロピレンオキシド２モル付加物の塩化水素酸塩
　上記本発明のアルカノールアミンとハロゲン化水素の塩からなる電導度付与剤は、上記以外の組み合わせでも可能であり、インキ中に別々に配合しても容易に塩を形成する事ができ、各々の添加量は一概に規定されないが、０．０１〜３０重量％の範囲がより好ましい。その比率はアルカノールアミンが当量以上の時はアルカリ性、以下の時は酸性を示すので、着色剤の溶解安定性にあわせて任意のｐＨに設定すれば良いが、アルカノールアミンとハロゲン化水素が当量で中和され、他の有機酸、無機酸等のｐＨ調整剤で任意のｐＨに設定しても良い。また、複数のアルカノールアミンとハロゲン化水素を併用しても良い。
　【００１４】
　本発明に用いられる電導度付与剤の使用量は、所望の電気電導度の値や、組合せる着色剤の種類により一概に規定できないがインク組成物中０．０１から３０重量％の範囲が好ましい。
　【００１５】
　着色剤としては、水溶性染料が好ましく、水溶性のものであればどれでも使用可能であり、酸性染料、塩基性染料、直接染料、反応性染料、分散染料、食品用色素、蛍光増白剤等の中から選択できる。
　【００１６】
　酸性染料としては、例えば、Ｃ．Ｉ．アシッド　ブラック１，２，７，１６，１７，２４，２６，２８，３１，４１，４８，５２，５８，６０，６３，９４，１０７，１０９，１１２，１１８，１１９，１２１，１２２，１３１，１５５，１５６；Ｃ．Ｉ．アシッド　イエロー１，３，４，７，１１，１２，１３，１４，１７，１８，１９，２３，２５，２９，３４，３６，３８，４０，４１，４２，４４，４９，５３，５５，５９，６１，７１，７２，７６，７８，７９，９９，１１１，１１４，１１６，１２２，１３５，１４２，１６１，１７２；Ｃ．Ｉ．アシッド　オレンジ７，８，１０，１９，２０，２４，２８，３３，４１，４５，５１，５６，６４；Ｃ．Ｉ．アシッド　レッド１，４，６，８，１３，１４，１５，１８，１９，２１，２６，２７，３０，３２，３４，３５，３７，４０，４２，５１，５２，５４，５７，８０，８２，８３，８５，８７，８８，８９，９２，９４，９７，１０６，１０８，１１０，１１１，１１４，１１５，１１９，１２９，１３１，１３３，１３４，１３５，１４３，１４４，１５２，１５４，１５５，１７２，１７６，１８０，１８４，１８６，１８７，２４９，２５４，２５６，２８９，３１７，３１８；Ｃ．Ｉ．アシッド　バイオレット７，１１，１５，３４，３５，４１，４３，４９，５１，７５；Ｃ．Ｉ．アシッド　ブルー１，７，９，１５，２２，２３，２５，２７，２９，４０，４１，４３，４５，４９，５１，５３，５５，５６，５９，６２，７８，８０，８１，８３，９０，９２，９３，１０２，１０４，１１１，１１３，１１７，１２０，１２４，１２６，１３８，１４５，１６７，１７１，１７５，１８３，２２９，２３４，２３６，２４９；Ｃ．Ｉ．アシッドグリーン３，９，１２，１６，１９，２０，２５，２７，４１，４４；Ｃ．Ｉ．アシッド　ブラウン４，１４等が挙げられる。
　【００１７】
　塩基性染料としては、例えば、Ｃ．Ｉ．ベイシックブラック２，８；Ｃ．Ｉ．ベイシック　イエロー１，２，１１，１２，１４，２１，３２，３６；Ｃ．Ｉ．ベイシック　オレンジ２，１５，２１，２２；Ｃ．Ｉ．ベイシック　レッド１，２，９，１２，１３，３７；Ｃ．Ｉ．ベイシック　バイオレット１，３，７，１０，１４；Ｃ．Ｉ．ベイシック　ブルー１，３，５，７，９，２４，２５，２６，２８，２９；Ｃ．Ｉ．ベイシック　グリーン１，４；Ｃ．Ｉ．ベイシック　ブラウン１，１２等が挙げられる。
　【００１８】
　直接染料としては、例えば、Ｃ．Ｉ．ダイレクト　ブラック２，４，９，１１，１４，１７，１９，２２，２７，３２，３６，３８，４１，４８，４９，５１，５６，６２，７１，７４，７５，７７，７８，８０，１０５，１０６，１０７，１０８，１１２，１１３，１１７，１３２，１４６，１５４，１６８，１７１，１９４；Ｃ．Ｉ．ダイレクト　イエロー１，２，４，８，１１，１２，２４，２６，２７，２８，３３，３４，３９，４１，４２，４４，４８，５０２，５１，５８，７２，８５，８６，８７，８８，９８，１００，１１０，１２７，１３５，１４１，１４２，１４４；Ｃ．Ｉ．ダイレクト　オレンジ６，８，１０，２６，２９，４１，４９，５１，１０２；Ｃ．Ｉ．ダイレクト　レッド１，２，４，８，９，１１，１３，１５２，１７，２０，２３，２４，２８，３１，３３，３７，３９，４４，４６，４７，４８，５１，５９，６２，６３，７３，７５，７７，８０，８１，８３，８４，８５，８７，８９，９０，９４，９５，９９，１０１，１０８，１１０，１４５，１８９，１９７，２２０，２２４，２２５２，２２６，２２７，２３０，２５０，２５４，２５６，２５７；Ｃ．Ｉ．ダイレクトバイオレット１，７，９，１２，３５，４８，５１，９０，９４；Ｃ．Ｉ．ダイレクトブルー１，２，６，８，１５，２２，２５，３４，６９，７０，７１，７２，７５，７６，７８，８０，８１，８２，８３，８６，９０，９８，１０６，１０８，１１０，１２０，１２３，１５８，１６３，１６５，１９２，１９３，１９４，１９５，１９６，１９９，２００，２０１，２０２，２０３，２０７，２１８，２３６，２３７，２３９，２４６，２５８，２８７；Ｃ．Ｉ．ダイレクト　グリーン１，６，８，２８，３３，３７，６３，６４；Ｃ．Ｉ．ダイレクト　ブラウン１Ａ，２，６，２５，２７，４４，５８，９５，１００，１０１，１０６，１１２，１７３，１９４，１９５，２０９，２１０，２１１等が挙げられる。
　【００１９】
　反応性染料としては、例えば、Ｃ．Ｉ．リアクティブ　ブラック１，３，５，６，８，１２，１４；Ｃ．Ｉ．リアクティブ　イエロー１，２，３，１３，１４，１５，１７；Ｃ．Ｉ．リアクティブ　オレンジ２，５，７，１６，２０，２４；Ｃ．Ｉ．リアクティブ　レッド６，７，１１，１２，１５，１７，２１，２３，２４，３５，３６，４２，６３，６６，８４，１８４；Ｃ．Ｉ．リアクティブバイオレット２，４，５，８，９；Ｃ．Ｉ．リアクティブ　ブルー２，５，７，１２，１３，１４，１５，１７，１８，１９，２０，２１，２５，２７，２８，３７，３８，４０，４１；Ｃ．Ｉ．リアクティブ　グリーン５，７；Ｃ．Ｉ．リアクティブ　ブラウン１，７，１６等が挙げられる。
　【００２０】
　食用色素としては、例えば、Ｃ．Ｉ．フード　ブラック１，２；Ｃ．Ｉ．フードイエロー２，４，５；Ｃ．Ｉ．フード　レッド２，３，７，９，１４，５２，８７，９２，９４，１０２，１０４，１０５，１０６；Ｃ．Ｉ．フード　バイオレット２：Ｃ．Ｉ．フード　ブルー１，２；Ｃ．Ｉ．フード　グリーン２，３等が挙げられる。
　【００２１】
　その他の水溶性染料としては、例えば、日本化薬社製の「カヤセット・ブラック九Ａ」、「ダイレクト・ディープ・ブラック　ＸＡ」、「ダイレクト・スペシャル・ブラックＡＸＮ」；バイエル社製の「スペシャル・ブラック・ＳＰリキッド」、「バイスクリプト・ブラックＳＰリキッド」、「レバセル・ターコイズ・ブルーＫＳ−６ＧＬＬ」、「ピラニン」；住友化学社製の「ＪＩ．ＢＫ−２」、「ＪＩ．ＢＫ−３」；オリエント化学社製の「ＪＰ−Ｋ８１Ｌ」、「ＪＰ−Ｋ１２７Ｌ」、「ＪＰＫ−１３９」；Ｃ．Ｉ．フローレセント・ブライトニング・エージェント１４，２２，２４，３２，８４，８５，８６，８７，９０，１３４，１６６，１６７，１６９，１７５，１７６，１７７等が挙げられる。これら着色剤は上記に限られたものではない。
　【００２２】
　電導度を極端に上げる場合には、以上の染料のうち好ましくは酸性染料のような染料自体の溶解安定性に優れた染料を選択したほうがよい。また着色剤として、顔料も使用する事ができ、無機顔料、有機顔料等の中から選択できるが、分散安定性の点で本発明の電導度付与剤の量は少ない使い方が好ましい。。
　【００２３】
　これら着色剤は単独若しくは複数を組合せて使用でき、インク組成物中の使用量は０．１から１０重量％の範囲が望ましい。
　水溶性有機溶媒は、低湿時の水分蒸発にともなうインクの固化を防いだり、固化した場合でも水やインクに対する再溶解性を確保するためや、普通紙へのインクの浸透時間短縮のために使用されることができる。具体的には、エチレングリコール、ジエチレングリコール、ポリエチレングリコール、グリセリンのごときグリコール類；エチレングリコールモノメチルエーテル、ジエチレングリコールモノメチルエーテル、エチレングリコールモノブチルエーテル、ジエチレングリコールモノブチルエーテル、エチレングリコールモノフェニルエーテルのごときグリコールエーテル類；Ｎ−メチル−２−ピロリドンのごときピロリドン類；トリエタノールアミンのごときアルカノールアミン類；メタノール、エタノール、イソプロピルアルコールのごときアルコール類；ジメチルスルホキシド等が挙げられるがこれらに限られたものではない。
　【００２４】
　これらの水溶性有機溶媒は、溶媒の吸湿性、保湿性や、染料溶解性、顔料分散性、インクの粘度や普通紙への浸透時間などを考慮して、適宜単独若しくは複数を組合せて使用でき、使用する場合のインク組成物中の使用量は０．１から９０重量％の範囲が望ましい。
　【００２５】
　水としては、染料の溶解安定性、重金属イオンによるノズルの目詰りを防止するために、イオン交換水以上の純度のものを用いることが好ましい。インク組成物中の使用量は、１０から９５重量％の範囲が望ましい。
　【００２６】
　助剤としては、アルカリ金属の水酸化物や、アルカノールアミンのようなｐＨ調整剤、防菌・防黴剤、金属封鎖剤、顔料分散剤、界面活性剤、水溶性高分子、水溶性樹脂等を使用してもよい。
　【００２７】
　【実施例】
　以下、本発明を実施例により説明する。実施例中、「％」は「重量％」を表す。
　【００２８】
　実施例１
　　化合物１　　　　　　　　　　　　　　　　　　　　　　　　　　　１２％
　　Ｃ．Ｉ．フードブラック２　　　　　　　　　　　　　　　　　　　　２％
　　ジエチレングリコール　　　　　　　　　　　　　　　　　　　　　　５％
　　イオン交換水　　　　　　　　　　　　　　　　　　　　　　　　　８１％
　上記の各成分を混合し、室温で十分に溶解させた後、０．４５ミクロンのメンブランフィルターで濾過を行ないインクジェット記録用水性インクとした。この時の２５℃でのインクの粘度は１．５ｃｐ、電気電導度は４９ｍＳ／ｃｍであった。
　【００２９】
　スパークジェット方式のインクジェットプリンターを用いて印字噴射試験を行なった結果、印字品質は良好で、２４時間放置してもノズルの目詰まりは生じなかった。また、インクを６０℃１ヶ月の環境で保管したが析出物もなくインクの溶解は安定していた。
　【００３０】
　実施例２
　　化合物８　　　　　　　　　　　　　　　　　　　　　　　　　　　　１％
　　Ｃ．Ｉ．ダイレクトブルー１９９　　　　　　　　　　　　　　　　　２％
　　ジエチレングリコール　　　　　　　　　　　　　　　　　　　　　１３％
　　イオン交換水　　　　　　　　　　　　　　　　　　　　　　　　　８４％
　上記の各成分を混合し、室温で十分に溶解させた後、０．４５ミクロンのメンブランフィルターで濾過を行ないインクジェット記録用水性インクとした。この時の２５℃でのインクの粘度は１．６ｃｐ、電気電導度は５ｍＳ／ｃｍであった。
　【００３１】
　荷電制御方式のインクジェットプリンターを用いて印字試験を行なった結果、印字品質は良好で、２４時間放置してもノズルの目詰まりは生じなかった。また、インクを６０℃１ヶ月の環境で保管したが析出物もなくインクの溶解は安定していた。
　【００３２】
　比較例１
　　塩化ナトリウム　　　　　　　　　　　　　　　　　　　　　　　　１２％
　　Ｃ．Ｉ．フードブラック２　　　　　　　　　　　　　　　　　　　　２％
　　ジエチレングリコール　　　　　　　　　　　　　　　　　　　　　　５％
　　イオン交換水　　　　　　　　　　　　　　　　　　　　　　　　　８１％
　　上記の各成分を混合したが、一部溶解したものの染料の凝集を生じ、０．４５ミクロンのメンブランフィルターの詰まりが多く、インキ化出来なかった。
　【００３３】
　比較例２
　　Ｃ．Ｉ．ダイレクトブルー１９９　　　　　　　　　　　　　　　　　２％
　　ジエチレングリコール　　　　　　　　　　　　　　　　　　　　　１３％
　　イオン交換水　　　　　　　　　　　　　　　　　　　　　　　　　８５％
　実施例２の組成から化合物８を除いた上記の各成分を混合し、室温で十分に溶解させた後、０．４５ミクロンのメンブランフィルターで濾過を行ないインクジェット記録用水性インクとした。この時の２５℃でのインクの粘度は１．５ｃｐ、電気電導度は１ｍＳ／ｃｍであった。
　【００３４】
　荷電制御方式のインクジェットプリンターを用いて印字試験を行なった結果、インクの制御が不十分で印字品質が良くなかった。但し、２４時間放置してもノズルの目詰まりは生じなかった。また、インクを６０℃１ヶ月の環境で保管したが析出物もなくインクの溶解は安定していた。
　【００３５】
　【発明の効果】
　本発明の化合物からなる電導度付与剤を添加することにより所望の電導性を有するインク組成物を得ることができ、かつ乾燥防止効果とインクの溶解安定性に優れたインク組成物を得ることができる。